【手続補正書】
【提出日】平成14年4月10日(2002.4.10)
【手続補正１】
【補正対象書類名】明細書
【補正対象項目名】特許請求の範囲
【補正方法】変更
【補正の内容】
【特許請求の範囲】
【請求項１】
建物の開口部を被覆するカーテンシステムであって、
前記建物の前記開口部に固定されたフレームを有し、前記フレームが第１トラック、第２トラックを有し、前記第１、第２トラックが相互に対して鋭角を形成する位置にあり、前記鋭角が１°であり、可撓性カーテンをさらに有し、前記可撓性カーテンにバーが通っており、前記バーが、前記可撓性カーテンの外部に伸びる第１端部、第２端部を有し、前記第１、第２端部が変形部分を有し、前記バーの前記変形部分の各々が１°の鋭角にある面を有し、前記可撓性カーテンが前記建物の前記開口部を被覆し、外部の力の下で内方へ偏向しており、前記可撓性カーテンの前記偏向が、前記バーの前記変形部分を前記フレームと強制的に係合させるカーテンシステム。
【請求項２】
建物の開口部を被覆するカーテンシステムであって、
前記建物の前記開口部に固定されたフレームと、
孔を備えたシート状の可撓性カーテンと、
ギアとを有し、
前記ギアが、前記建物の前記開口部を被覆および露出するべく前記シート状カーテンを駆動するために、前記シート状の可撓性カーテンの前記孔と相互係合する歯を有するカーテンシステム。
【請求項３】
前記可撓性カーテンが波形である請求項２に記載のカーテンシステム。
【請求項４】
前記可撓性カーテンが面を有し、前記面が切り込みを有する請求項２に記載の前記建物の開口部を被覆するカーテン。
【請求項５】
前記可撓性カーテンが切り込みを有する請求項３に記載のカーテンシステム。
【請求項６】
前記可撓性カーテンが非金属製である請求項２に記載のカーテンシステム。
【請求項７】
前記可撓性カーテンが非金属製である請求項３に記載のカーテンシステム。
【請求項８】
前記カーテンが非金属製である請求項３に記載のカーテンシステム。
【請求項９】
前記カーテンが積層された少なくとも２枚のシートを有する請求項２に記載のカーテンシステム。
【請求項１０】
前記カーテンが、繊維基板シートに積層された第１重合体シートと第２重合体シートを有する請求項２に記載のカーテンシステム。
【請求項１１】
前記カーテンが頂部、底部、左側、右側、左側縁、右側縁を有し、前記システムがさらに、前記可撓性カーテンの１側部に固定された、実質的に平坦な半硬質材料片を有する請求項１０に記載のカーテンシステム。
【請求項１２】
前記実質的に平坦な半硬質片が、前記可撓性カーテンの１側部の１縁部に沿って固定されている請求項１１に記載のカーテンシステム。
【請求項１３】
前記カーテンが頂部、底部、左側、右側、左側縁、右側縁を有し、前記システムがさらに、前記可撓性カーテンの前記左側縁に固定された実質的に平坦な半硬質材料片と、前記可撓性カーテンの前記右側縁に固定された実質的に平坦な半硬質材料片とを有する請求項１０に記載のカーテンシステム。
【請求項１４】
前記実質的に平坦な半硬質片の２／３が前記可撓性カーテンの前記側縁に固定されており、前記実質的に平坦な半硬質片の１／３が前記側縁に固定されていない請求項１３に記載のカーテンシステム。
【請求項１５】
前記可撓性カーテンに外部からの力が付加されると、前記実質的に平坦な半硬質片の前記１／３が、前記第１、第２側部トラックと係合する請求項１３に記載のカーテンシステム。
【請求項１６】
ウィンドロックシャッタに使用するシート状の可撓性カーテンであって、
３層構造のシート状可撓性カーテンを有し、
前記シート状可撓性カーテンが側縁を有し、前記シート状可撓性カーテンの前記側縁が折り畳まれ、前記シート状可撓性カーテンに固定され、
前記シート状可撓性カーテンの前記折り畳まれた側縁の各々が、これを貫通する複数の孔を有し、
前記ウィンドロックシャッタがさらに、前記シート状可撓性カーテンの前記折り畳んだ側縁の前記孔、駆動部、前記シート状可撓性カーテンと相互嵌合する嵌め歯を備えたギアを有し、
前記ウィンドロックシャッタがさらに、第１トラック、第２トラックを有し、
前記シート状カーテンの前記折り畳んだ縁が、前記トラックと密封的に相互係合するシート状可撓性カーテン。
【請求項１７】
前記シート状可撓性カーテンが底部と垂直に屈曲した底部バーとを有し、前記底部が折り畳まれており、前記垂直に屈曲した底部バーが、前記シート状可撓性カーテンの前記底部の前記折り畳まれた部分内に常駐している請求項１６に記載のシート状可撓性カーテン。
【請求項１８】
前記折り畳んだ縁が、前記シート状カーテンに糸で縫合されている請求項１７に記載のシート状可撓性カーテン。
【請求項１９】
前記シート状カーテンの前記折り畳んだ縁が、前記シート状カーテンに接着剤で接着されている請求項１７に記載のシート状可撓性カーテン。
【請求項２０】
前記シート状カーテンの前記折り畳んだ縁が、前記シート状カーテンに鋲留めされている請求項１７に記載のシート状可撓性カーテン。
【請求項２１】
前記固定が、前記折り畳んだ縁の２／３を前記シート状カーテンに固定する請求項１７に記載のシート状可撓性カーテン。
【請求項２２】
前記シート状カーテンの前記折り畳んだ縁の前記２／３に、これを貫通する孔をさらに有する請求項２１に記載のシート状可撓性カーテン。
【請求項２３】
前記孔にアイレットが固定されている請求項２２に記載のシート状可撓性カーテン。
【請求項２４】
前記可撓性シートがポリカーボネートである請求項２３に記載のシート状可撓性カーテン。
【請求項２５】
ウィンドロックシャッタであって、
可撓性の波形カーテンと、
前記可撓性の波形カーテンの前記波型部分内に、これを貫通して常駐する複数の引張ロッドと、
アダプタラックとを有し、前記アダプタラックが、前記ラックと前記引張ロッドの係合によって、前記可撓性カーテンを駆動するウィンドロックシャッタ。
【請求項２６】
前記引張ロッドがさらに端部を有し、前記端部が遮断部を有し、
前記シャッタがさらに、前記引張ロッドの前記遮断部を係合し、これにより前記カーテンの偏向を規制するための、建物に固定された第１トラックと第２トラックを有する請求項２５に記載のウィンドロックシャッタ。
【請求項２７】
前記引張ロッドがさらに、前記第１、第２トラックと相互係合する９０°の曲げ部を備えた部分を有する請求項２５に記載のウィンドロックシャッタ。
【請求項２８】
ウィンドロックシャッタであって、
孔を備えた可撓性の波形カーテンと、
前記可撓性の波形カーテンの前記波形部分内に、これを貫通して常駐する複数の引張ロッドと、
前記可撓性カーテンを駆動するためのギアおよびアダプタラックとを有し、
前記ギアが前記可撓性カーテンの前記孔と係合し、前記アダプタラックが前記引張ロッドと係合するウィンドロックシャッタ。
【請求項２９】
遮断部とその端部とをさらに備えた前記引張ロッドと、
前記引張ロッドの前記遮断部と係合し、前記カーテンの偏向を規制する、建物に固定された第１トラックおよび第２トラックとをさらに有する請求項２８に記載のウィンドロックシャッタ。
【請求項３０】
前記第１、第２トラックと相互係合するための９０°の曲げ部を設けた端部をさらに備える前記引張ロッドをさらに有する請求項２８に記載のウィンドロックシャッタ。
【請求項３１】
建物の開口部への望まない空気、液体、物体の侵入を防止する工程であって、前記工程が可撓性カーテンを採用しており、前記可撓性カーテンが、折り畳まれ、固定されていない自由なフラップ部分である前記縁の１部分と共に固定された縁を有し、前記建物に固定された第１トラックと、前記建物に固定された第２トラックとをさらに採用しており、前記可撓性カーテンが、第１の開放位置と第２の閉鎖位置の間でギアにより駆動され、収容ロールをさらに採用しており、前記収容ロールが、前記可撓性カーテンを前記収容ロールと前記ギアの間で収容および引張するためのものであり、横材と相互係合する底部バーをさらに採用しており、
前記第１の開放位置から前記第２の閉鎖位置に達するまで、前記可撓性カーテンを駆動する段階と、
前記底部バーを前記横材と相互係合させ、前記可撓性カーテンをその底部において拘束する段階と、
前記ギアで前記可撓性カーテンを拘束し、これにより前記可撓性カーテンをその頂部において拘束する段階と、
前記固定されていないフラップ部分を前記第１、第２トラックと相互係合させる段階と、
前記カーテンに力が付加されると、前記固定されていないフラップ部分を変形する段階と、
前記固定されていないフラップ部分が前記トラックと係合した際に、前記可撓性カーテンの内方への偏向を規制する段階とを有する工程。
【請求項３２】
前記固定されていないフラップ部分を前記第１、第２トラックに対して変形することにより、衝撃を吸収する段階をさらに有する請求項３１に記載の工程。
【請求項３３】
前記フラップ部分の前記第１、第２トラックに対する前記係合によって、前記可撓性カーテンが前記開口部に強制的に向けられる際に、前記開口部を密封する段階をさらに有する請求項３１に記載の工程。
【請求項３４】
前記固定されていないフラップ部分を前記トラックと係合させるべく嵌め込む段階をさらに有する請求項３１に記載の工程。
【請求項３５】
前記可撓性カーテンを、前記収容ロールと前記駆動ギアの間で引張する段階をさらに有する請求項３１に記載の工程。
【請求項３６】
前記第１、第２トラックが相互に対して鋭角を形成する位置にある請求項３１に記載の工程。
【請求項３７】
前記底部バーが湾曲した底部バーであり、前記横材が保持スロットを有する請求項３３に記載の工程。
【請求項３８】
空気、液体、物質の建物の開口部への望まない侵入を防止する工程であって、前記工程が、相互に積層された第１重合体層、第２重合体層、繊維層を備えた可撓性カーテンを採用しており、前記可撓性カーテンが、各縁に折り畳んだフラップ部分を有し、前記折り畳んだフラップ部分が、１部分を残して前記可撓性カーテンに部分的に固定され、前記建物に固定された第１トラックと、前記建物に固定された第２トラックをさらに採用しており、前記可撓性カーテンが孔を有し、ギアが、前記孔と係合することで、前記可撓性カーテンを第１の開放位置と第２の閉鎖位置の間で駆動し、
前記可撓性カーテンを、前記第１の開放位置から前記第２の閉鎖位置に向かって下方へ駆動する段階と、
前記カーテンを、前記建物の前記開口部へ向かう方向に引張する段階と、
前記カーテンを前記引張する際に、前記折り畳んだフラップ部分の前記固定されていない部分を、前記第１、第２トラックと係合させる段階とを有する工程。
【請求項３９】
前記可撓性カーテンが、その各縁に固定された半硬質片を有し、前記半硬質片が、１部の固定されない部分を残して、前記可撓性カーテンに部分的に固定されている請求項３８に記載の工程。
【請求項４０】
実質的に平面内に常駐するウィンドロックカーテンであって、
可撓性の重合体材料を有し、
前記可撓性の重合体材料が左側縁と右側縁を備え、前記可撓性の重合体材料が駆動孔を備え、
前記可撓性材料を、第１の開放位置から第２の閉鎖位置へと駆動するために、前記駆動孔と相互係合する駆動嵌め歯をさらに有し、
前記可撓性の重合体材料に固定された底部バーをさらに有し、
左側トラックと右側トラックをさらに有し、
前記可撓性材料が第２の閉鎖位置へ駆動される際に、前記可撓性の重合体材料に固定された前記底部バーを受容するための保持スロットをさらに有し、
前記カーテンの前記平面内において、前記底部バーが垂直に曲げられているウィンドロックカーテン。
【請求項４１】
ウィンドロックシステムであって、
第１重合体シートと、
第２重合体シートと、
前記第１重合体シートと前記第２重合体シートの間に常駐する補強繊維とを有し、
前記第１シートが前記第２シートに積層され、前記補強繊維を固定し、或る長さの可撓性カーテンを形成し、
前記第１重合体シートがさらに第１切り込みと第２切り込みを有し、前記第１切り込みが第１フラップ部分を形成し、前記第２切り込みが第２フラップ部分を形成し、
前記第１フラップ部分と相互係合する第１トラックと、前記第２フラップ部分と相互係合する第２トラックとをさらに有し、前記第１、第２切り込みが、前記可撓性カーテンの前記長さにかけて連続して走行しているウィンドロックシステム。
【請求項４２】
左側、右側、中間部分を備える湾曲した底部バーをさらに有し、
前記湾曲した底部バーが垂直に曲っており、前記可撓性カーテン内に固定されており、
保持スロットを備えた横材をさらに有し、
前記湾曲したバーが前記スロット内に侵入し、これと相互係合する請求項４１に記載のウィンドロックシステム。
【請求項４３】
ウィンドロックシャッタに使用する可撓性カーテンであって、
各々が単一構造である第１、第２解除不可能トラックと、
解除不可能な可撓性カーテンとを有し、
前記可撓性カーテンが、閉鎖位置にある際に、実質的に平坦な面を画定し、
前記可撓性カーテンが側縁を有し、
さらに、前記可撓性カーテンの前記側縁に固定された、第１、第２の実質的に平坦な半硬質片を有し、
前記第１、第２の実質的に平坦な半硬質片が、前記第１、第２トラックとそれぞれ密封的且つ解除不可能に係合可能であるため、前記平坦面に向かって力が付加された際に、前記可撓性カーテンが、前記第１、第２の解除不可能なトラックから解除不可能であるウィンドロックシャッタに使用する可撓性カーテン。
【請求項４４】
前記実質的に平坦な半硬質片が、前記半硬質片を前記縁に縫合することによって固定されている請求項４３に記載のウィンドロックシャッタに使用する可撓性カーテン。
【請求項４５】
前記実質的に平坦な半硬質片が、前記半硬質片を前記縁に接着することによって固定されている請求項４３に記載のウィンドロックシャッタに使用する可撓性カーテン。
【請求項４６】
前記実質的に平坦な半硬質片が、前記半硬質片を前記縁に溶接することによって固定されている請求項４３に記載のウィンドロックシャッタに使用する可撓性カーテン。
【請求項４７】
前記実質的に平坦な半硬質片が、前記半硬質片を前記縁に鋲留めすることによって固定されている請求項４３に記載のウィンドロックシャッタに使用する可撓性カーテン。
【請求項４８】
前記実質的に平坦な半硬質片が前記カーテンに部分的に固定されており、前記部分的固定によって、自由なフラップ部分が作られる請求項４３に記載のウィンドロックシャッタに使用する可撓性カーテン。
【請求項４９】
建物の開口部付近に固定された前記第１、第２トラックと組み合わせて使用され、前記カーテンに力が付加されると、前記実質的に平坦な半硬質片が前記トラックと密封的に係合する請求項４３に記載の可撓性カーテン。
【請求項５０】
前記建物の開口部に固定された前記第１、第２トラックと組み合わせて使用され、前記カーテンに力が付加されると、前記自由なフラップ部分が前記トラックと密封的に係合する請求項４３に記載の可撓性カーテン。
【請求項５１】
建物の開口部を被覆するカーテンシステムであって、
前記開口部付近で前記建物に固定された解除不可能な第１トラックと解除不可能な第２トラックと、
縁を備えた解除不可能なシート状の可撓性カーテンとを有し、
前記可撓性カーテンが、閉鎖位置にある際に実質的に平坦な面を画定し、
前記解除不可能なシート状の可撓性カーテンの前記縁に固定された、実質的に平坦な半硬質片をさらに有し、
前記実質的に平坦な半硬質片と、前記解除不可能なシート状の可撓性カーテンが孔を備えており、
前記平坦面に向けて外部からの力が付加されると、前記実質的に平坦な半硬質片が、密封的且つ解除不可能に前記解除不可能な第１、第２トラックと相互係合するため、前記解除不可能な可撓性カーテンが前記トラックから抜け出すことがないカーテンシステム。
【請求項５２】
前記実質的に平坦な半硬質片が、前記解除不可能なシート状の可撓性カーテンに縫合されている請求項５１に記載のカーテンシステム。
【請求項５３】
前記実質的に平坦な半硬質片が、前記解除不可能なシート状の可撓性カーテンに接着されている請求項５１に記載のカーテンシステム。
【請求項５４】
前記実質的に平坦な半硬質片が、前記解除不可能なシート状の可撓性カーテンに溶着されている請求項５１に記載のカーテンシステム。
【請求項５５】
前記実質的に平坦な半硬質片が、前記解除不可能なシート状の可撓性カーテンに鋲留めされている請求項５１に記載のカーテンシステム。
【請求項５６】
ギアをさらに有し、前記ギアが、前記建物の前記開口部を交互に被覆および露出するべく、前記解除不可能なシート状の可撓性カーテンを駆動するために、前記解除不可能なシート状の可撓性カーテンと前記実質的に平坦な半硬質片に設けられた前記孔と相互係合する歯を有する請求項５１に記載のカーテンシステム。
【請求項５７】
前記実質的に平坦な半硬質片が、前記解除不可能なシート状の可撓性カーテンに部分的に固定されている請求項５１に記載のカーテンシステム。
【請求項５８】
空気、液体、物質の建物の開口部への望まない侵入を防止する工程であって、前記工程が解除不可能なシート状の可撓性カーテンを採用しており、前記シート状の可撓性カーテンが縁を有し、実質的に平面内に常駐し、実質的に平坦な半硬質片が、前記解除不可能なシート状の可撓性カーテンの前記縁に固定されており、前記工程が、前記建物に固定された解除不可能な第１トラックと解除不可能な第２トラックとをさらに有し、前記解除不可能なシート状の可撓性カーテンと前記実質的に平坦な半硬質片が孔を備えており、ギアが、前記孔と相互係合することにより、前記解除不可能なシート状の可撓性カーテンを、第１の開放位置と第２の閉鎖位置の間で駆動し、
前記解除不可能なシート状の可撓性カーテンを、前記第１の開放位置から前記第２の閉鎖位置へと下方に駆動する段階と、
外部からの力を、正方向において前記建物の前記開口部に強制的に向ける状況下で、前記解除不可能なシート状の可撓性カーテンを前記カーテンの前記平面において引張する段階と、
前記解除不可能なシート状の可撓性カーテンを引張する際に、前記実質的に平坦な半硬質片を前記第１、第２解除不可能トラックと相互係合させる段階とを有する工程。
【請求項５９】
前記実質的に平坦な半硬質片が、前記カーテンに部分的に固定されている請求項５８に記載の工程。
【請求項６０】
建物の開口部を被覆するカーテンシステムであって、
前記建物の前記開口部に固定されたフレームを有し、前記フレームが第１トラック、第２トラックを有し、前記第１、第２トラックが相互に対して鋭角を形成する位置にあり、前記鋭角が１°〜１０°の範囲内にあり、可撓性カーテンをさらに有し、前記可撓性カーテンにバーが通っており、前記バーが、前記可撓性カーテンの外部に伸びる第１端部、第２端部を有し、前記第１、第２端部が変形部分を有し、前記バーの前記変形部分の各々が１°〜１０°の鋭角にある面を有し、前記可撓性カーテンが前記建物の前記開口部を被覆し、外部の力の下で内方へ偏向しており、前記可撓性カーテンの前記偏向が、前記バーの前記変形部分を前記フレームと強制的に係合させるカーテンシステム。